(57)【要約】【課題】本発明は、ユーザに対して何ら面倒な手順を強いることなく、ユーザに適した個別設定画面へ切り替え、最適な使用環境を提供できるようにする。【解決手段】本発明は、モニター４に対して中立的なナビゲーション画面Ｇ１を表示し、周囲のユーザ個人が所有する携帯電話機５Ｂを探索し、認証できたとき、ユーザＵ２個人に対して独自に画面設定した個人対応ナビゲーション画面Ｇ３へ中立的なナビゲーション画面Ｇ１から切り換えることにより、ユーザＵ２に対して何ら煩雑な操作を一切させることなく、ユーザＵ２個人に対して独自に画面設定した個人対応ナビゲーション画面Ｇ３へ自動的に切り換えて表示することができる。【選択図】図６
2008281361.tif 000002
【特許請求の範囲】
【請求項１】
表示部に対して所定の処理結果画面を表示する表示制御手段と、
近距離無線通信エリア内で無線通信を行うことにより周囲のユーザ個人が所有する無線端末機器を探索する無線通信手段と、
上記無線通信手段により探索した上記無線端末機器を認証する認証手段と、
上記認証手段によって上記無線端末機器を認証できたとき、上記ユーザ個人に対して独自に画面設定した個人対応処理結果画面へ上記処理結果画面から切り換える画面切換手段と
を具えることを特徴とする電子機器。
【請求項２】
上記画面切換手段は、上記認証手段によって上記無線端末機器を複数認証できたとき、予め設定した優先度に従って一つの上記無線端末機器を選択し、その選択した上記無線端末機器を所有している上記ユーザ個人に対応した上記個人対応処理結果画面へ切り換える
ことを特徴とする請求項１に記載の電子機器。
【請求項３】
上記画面切換手段は、上記認証手段によって車両に搭載された上記無線端末機器を認証できたとき、上記車両の種類に対応した車種対応処理結果画面へ切り換える
ことを特徴とする請求項１に記載の電子機器。
【請求項４】
上記画面切換手段は、上記認証手段によって上記無線端末機器を認証するまでの間、中立モードを設定することにより、上記表示制御手段を介して一般的な画面設定である上記処理結果画面を上記表示部に対して表示させる
ことを特徴とする請求項１に記載の電子機器。
【請求項５】
表示制御手段により所定の表示部に対して所定の処理結果画面を表示する表示ステップと、
無線通信手段により近距離無線通信エリア内で無線通信を行うことによって周囲のユーザ個人が所有する無線端末機器を探索する無線端末機器探索ステップと、
上記無線端末機器探索ステップで探索した上記無線端末機器を所定の認証手段により認証する認証ステップと、
上記認証ステップで上記無線端末機器を認証できたとき、画面切換手段により上記ユーザ個人に対して独自に画面設定した個人対応処理結果画面へ上記処理結果画面から切り換える画面切換ステップと
を具えることを特徴とする画面切換制御方法。
【発明の詳細な説明】
【技術分野】
【０００１】
本発明は、電子機器及び画面切換制御方法に関し、例えばポータブルナビゲーション装置（以下、これをポータブルＮＶ装置と呼ぶ）に適用して好適なものである。
【背景技術】
【０００２】
従来、ポータブルＮＶ装置においては、カーナビゲーションとして使用される場合、車内空間の所定位置に設置される一方、パーソナルナビゲーションとして使用される場合には車両から取り外され、ユーザによって持ち運びながら用いられるようになされている。
【０００３】
このようなポータブルＮＶ装置は、上述したように取り外し容易なため、家族の間で用いられたり、また複数の車両に持ち込まれて用いられる等、様々な利用形態が想定されている。
【０００４】
一方、車両用ナビゲーション装置が、ハンズフリー機能付き携帯電話機とBluetoothによるハンズフリー機能のための無線接続が確立したとき、接続対象の携帯電話機が携帯電話機―設定対応データに登録済みのものであれば、携帯電話機―設定対応データにおいて当該携帯電話機の識別データに対応するユーザ名称と実際のドライバが合致しているか否かを音声対話でユーザに確認し合致すれば、携帯電話機―設定対応データにおいてその携帯電話機に対応する個別設定データに従って、ハンズフリー機能のために接続した携帯電話機に対応する個別設定を実現するようになされたものがある（例えば、特許文献１参照）。
【特許文献１】特開2006-184103公報
【発明の開示】
【発明が解決しようとする課題】
【０００５】
ところで上述した、かかる構成のポータブルＮＶ装置においては、家族の間で用いられたり、また複数の車両に持ち込まれて用いられる等の利用形態を考慮し、ユーザ切替機能を搭載することが考えられるが、電源が投入される度にユーザを選択したり、またユーザを特定するためのパスワード認証を行う等の手順をユーザに踏まさなくてはならず、煩雑な操作をユーザに強いるという問題があった。
【０００６】
また、特許文献１に示した車両用ナビゲーション装置においても、携帯電話機の識別データに対応するユーザ名称と実際のドライバとが一致しているか否かを音声対話でユーザに確認させる等の手順を踏まなければならない点において同じであり、この場合も煩雑な手順をユーザに強いるという問題があった。
【０００７】
本発明は以上の点を考慮してなされたもので、ユーザに対して何ら面倒な手順を強いることなく、ユーザに適した個別設定画面へ切り替え、最適な使用環境を提供し得る電子機器及び画面切換制御方法を提案しようとするものである。
【課題を解決するための手段】
【０００８】
かかる課題を解決するため本発明においては、所定の表示部に対して所定の処理結果画面を表示し、近距離無線通信エリア内で無線通信を行うことによって周囲のユーザ個人が所有する無線端末機器を探索し、その探索した無線端末機器を認証できたとき、ユーザ個人に対して独自に画面設定した個人対応処理結果画面へ処理結果画面から切り換えることにより、ユーザに対して何ら煩雑な操作を一切させることなく、ユーザ個人に対して独自に画面設定した個人対応処理結果画面へ自動的に切り換えて表示することができる。
【発明の効果】
【０００９】
本発明によれば、所定の表示部に対して所定の処理結果画面を表示し、近距離無線通信エリア内で無線通信を行うことによって周囲のユーザ個人が所有する無線端末機器を探索し、その探索した無線端末機器を認証できたとき、ユーザ個人に対して独自に画面設定した個人対応処理結果画面へ処理結果画面から切り換えることにより、ユーザに対して何ら煩雑な操作を一切させることなく、ユーザ個人に対して独自に画面設定した個人対応処理結果画面へ自動的に切り換えて表示することができ、かくしてユーザに対して何ら面倒な手順を強いることなく、ユーザに適した個別設定画面に切り替え、最適な使用環境を提供し得る電子機器及び画面切換制御方法を実現することができる。
【発明を実施するための最良の形態】
【００１０】
以下、図面について、本発明の一実施の形態を詳述する。
【００１１】
（１）第１の実施の形態
（１−１）第１の実施の形態におけるポータブルＮＶシステムの全体構成
図１において、１は全体として第１の実施の形態におけるポータブルＮＶシステムを示し、携帯型で持ち運び可能な主に車内に持ち込まれて用いられるポータブルＮＶ装置２と、当該ポータブルＮＶ装置２と無線通信可能な携帯電話機５とによって構成されている。
【００１２】
ポータブルＮＶ装置２は、矩形状の本体部３における前面にモニター４が設けられており、本体部３に内蔵された不揮発性メモリやハードディスク等に格納されている地図データに応じた地図画面等をモニター４に対して表示し得るようになされている。
【００１３】
携帯電話機５は、本体部３３の上方にＬＣＤ３４が設けられた構造でなり、内部メモリに格納された音楽データ等を、本体部３３に内蔵された例えばBluetooth（登録商標）モジュールによってポータブルＮＶ装置２へ無線送信し得るようになされている。
【００１４】
従ってポータブルＮＶ装置２は、携帯電話機５から受信した音楽データ等を再生することにより、当該ポータブルＮＶ装置２に備え付けられたスピーカや接続されたスピーカを介して、その再生音を出力し得るようになされている。
【００１５】
（１−２）ポータブルＮＶ装置の回路構成
図２に示すように、ポータブルＮＶ装置２はバッテリ２９から供給される電力によって動作し、ＣＰＵ(Central Processing Unit)構成でなる制御部２０が全体を統括制御すると共に、不揮発性メモリ２１に格納された基本プログラムや各種アプリケーションプログラムを読み出してＲＡＭ(Random Access Memory)２２上で実行することにより、通常のナビゲーション機能及び後述する画面切換機能を実現するようになされている。
【００１６】
このポータブルＮＶ装置２は、不揮発性メモリ２１に全国の地図を示す地図データが記憶されていると共に、各種施設などの関心地点を表すＰＯＩ(Point Of Interest)データが地図上の位置に対応付けられた状態で予め記憶されている。
【００１７】
またポータブルＮＶ装置２は、ＧＰＳ(Global Positioning System)衛星からの電波をＧＰＳユニット２３によって受信することにより、緯度、経度及び高度等からなるＧＰＳ情報を常時算出するようになされており、その結果得られたＧＰＳ情報を制御部２０へ送出する。
【００１８】
ポータブルＮＶ装置２の制御部２０は、ＧＰＳユニット２３から供給されたＧＰＳ情報と不揮発性メモリ２１に記憶されている地図データとを比較することにより、現時点でポータブルＮＶ装置２が存在する位置（すなわち、ポータブルＮＶ装置２が搭載された車両が存在する自車位置）を含む所定範囲の地図データを読み出し、その地図データに応じて自車位置とその周辺とを表す所定倍率の地図画像をモニター４のＬＣＤ(Liquid Crystal Display)２４に表示するようになされている。
【００１９】
またポータブルＮＶ装置２の制御部２０は、モニター４のＬＣＤ２４の表面に設けられたタッチパネル２５に対するユーザ操作に応じて、目的地としてＰＯＩデータが任意に選択された場合、車両の自車位置からＰＯＩデータに対応した目的地までの到達経路等を探索し、その到達経路を表した地図画像をＬＣＤ２４に表示し得るようになされている。
【００２０】
このときポータブルＮＶ装置２の制御部２０は、到達経路を表した地図画像をＬＣＤ２４に表示すると共に、音声処理部２６を介して車両が到達経路に従って目的地まで走行する間、ユーザの運転を誘導及び補助（以下、これらをナビゲートと呼ぶ）するための音声情報を生成し、そのナビゲート音声をスピーカ２７から出力する。
【００２１】
このようにしてポータブルＮＶ装置２では、ユーザ所望の目的地まで車両をナビゲートするナビゲーション機能を提供し得るようになされている。
【００２２】
またポータブルＮＶ装置２は、例えばBluetooth（登録商標）モジュールでなる無線通信ユニット２８を有しており、当該ポータブルＮＶ装置２の周辺に存在するBluetooth機器（例えばBluetoothモジュールを搭載した携帯電話機５）との間で無線通信を行い、当該携帯電話機５との間で種々のデータ通信を実行し得るようになされている。
【００２３】
（１−３）携帯電話機の回路構成
図３に示すように、携帯電話機５はバッテリ３９から供給される電力によって動作し、ＣＰＵ構成でなる制御部３０が全体を統括制御すると共に、不揮発性メモリ３１に格納された基本プログラムや各種アプリケーションプログラムを読み出してＲＡＭ３２上で実行することにより、通常の携帯電話機としての通話機能、インターネット接続機能及び無線通信機能等を実現するようになされている。
【００２４】
また携帯電話機５の制御部３０は、通話機能を実現する場合、マイクロフォン３５によって集音したユーザの音声を音声コーデック３６によって圧縮符号化し、その音声データを送受信部３３からアンテナ３３Ａを介して送信する一方、当該アンテナ３３Ａ及び送受信部３３を介して受信した通話相手の音声データを音声コーデック３６によって伸張復号し、その結果得られる相手音声をスピーカ３７から出力する。
【００２５】
因みに携帯電話機５の制御部３０は、通話相手の携帯電話機ナンバー、通話相手の名前、電波の受信強度等に関する種々の情報をＬＣＤ３４に表示し得るようになされている。
【００２６】
さらに携帯電話機５の制御部３０は、ブルートゥースモジュール３８を介してポータブルＮＶ装置２の無線通信ユニット２８と相互に無線通信し得るようになされており、上述したように不揮発性メモリ３１に格納されている音楽データ等をポータブルＮＶ装置２へ無線送信し得るようになされている。
【００２７】
なお、携帯電話機５は、当該携帯電話機５がブルートゥース機器であることを示すために割り当てられているBluetoothアドレスを不揮発性メモリ３１に記憶しており、必要に応じてBluetoothアドレスをブルートゥースモジュール３８を介して無線送信し得るようになされている。
【００２８】
（１−４）ユーザ毎に最適な個人対応ナビゲーション画面への切換処理
図４に示すように、最初にユーザＵ１が所有する携帯電話機５ＡのBluetoothアドレス及びユーザＵ２が所有する携帯電話機５ＢのBluetoothアドレスをポータブルＮＶ装置２へそれぞれ無線送信し、当該ポータブルＮＶ装置２の不揮発性メモリ２１に記憶させることにより、ポータブルＮＶ装置２に対して携帯電話機５Ａ及び５ＢのBluetoothアドレスをそれぞれ登録させる。
【００２９】
このBluetoothアドレスは、携帯電話機５Ａ及び５Ｂに対してそれぞれ固有に割り当てられているものであって、携帯電話機５Ａ及び５Ｂの不揮発性メモリ３１にそれぞれ格納されているため、ポータブルＮＶシステム１では、この携帯電話機５ＡのBluetoothアドレスと、携帯電話機５ＢのBluetoothアドレスとをポータブルＮＶ装置２に対して登録させておくことにより、ポータブルＮＶ装置２と携帯電話機５Ａ又は５Ｂとが無線接続されたことを判別させ得るようになされている。
【００３０】
このときポータブルＮＶ装置２の制御部２０は、ユーザＵ１がモニター４の画面上で任意に設定した例えば２Ｄ地図及び３Ｄ地図を含む２画面表示からなる個人対応ナビゲーション画面をユーザＵ１個人に対する独自の最適な設定条件として、携帯電話機５ＡのBluetoothアドレスと共に不揮発性メモリ２１に記憶しておくようになされている。
【００３１】
またポータブルＮＶ装置２の制御部２０は、ユーザＵ２がモニター４の画面上で任意に設定した例えば３Ｄ地図表示の個人モード対応ナビゲーション画面をユーザＵ２個人に対する独自の最適な設定条件として、携帯電話機５ＢのBluetoothアドレスと共に不揮発性メモリ２１に記憶しておくようになされている。
【００３２】
その後、図５に示すように、例えば携帯電話機５Ａを所持するユーザＵ１がポータブルＮＶ装置２の設置された車両に乗り込んだ場合、ポータブルＮＶ装置２の制御部２０は無線通信ユニット２８を介して通信可能なBluetooth機器を探索し、その結果ユーザＵ１の携帯電話機５ＡをそのBluetoothアドレスに基づいて発見すると、電源投入された当初は誰でもが操作し易い一般的な中立モードのナビゲーション画面Ｇ１をモニター４に表示した状態から、不揮発性メモリ２１に記憶しておいた設定条件に従ってユーザＵ１個人に対して最適な個人対応ナビゲーション画面Ｇ２（２Ｄ地図及び３Ｄ地図を含む２画面表示）へ切り換え得るようになされている。
【００３３】
また、図６に示すように、例えば携帯電話機５Ｂを所持するユーザＵ２がポータブルＮＶ装置２の設置された車両に乗り込んだ場合、ポータブルＮＶ装置２の制御部２０は無線通信ユニット２８を介して通信可能なBluetooth機器を探索し、その結果ユーザＵ２の携帯電話機５ＢをそのBluetoothアドレスに基づいて発見すると、電源投入された当初は誰でもが操作し易い一般的な中立モードのナビゲーション画面Ｇ１をモニター４に表示した状態から、不揮発性メモリ２１に記憶しておいた設定条件に従ってユーザＵ２個人に対して最適な個人対応ナビゲーション画面Ｇ３（３Ｄ地図表示）へ切り換え得るようになされている。
【００３４】
このようにポータブルＮＶシステム１では、ポータブルＮＶ装置２が携帯電話機５ＡのBluetoothアドレス又は携帯電話機５ＢのBluetoothアドレスに基づいてユーザＵ１又はＵ２を特定することができたとき、不揮発性メモリ２１に記憶しておいた設定条件に従い、そのユーザＵ１又はＵ２毎に独自に設定した個人対応ナビゲーション画面Ｇ２又はＧ３へ切り換えて表示し、ユーザＵ１又はＵ２にとって最も使い易い利用環境を提供し得るようになされている。この一連の処理の流れを、次の図７におけるフローチャートを用いて具体的に説明する。
【００３５】
（１−５）第１の実施の形態におけるユーザ毎の画面切換処理手順
図７に示すように、ポータブルＮＶシステム１におけるポータブルＮＶ装置２の制御部２０は、ルーチンＲＴ１の開始ステップから入って次のステップＳＰ１へ移り、図示しない電源ボタンに対するユーザの押下操作により電源が投入されたか否かを判定し、否定結果が得られると電源が投入されるまで待ち受けるのに対し、肯定結果が得られると次のステップＳＰ２へ移る。
【００３６】
ステップＳＰ２においてポータブルＮＶ装置２の制御部２０は、電源が投入されたことを認識した時点では、まだ周囲に存在するであろう携帯電話機５Ａ又は５Ｂを発見できていない状態であり、それまでナビゲーション画面を一切モニター４に表示しないのでは不都合であることを考慮し、例えば誰でもが操作し易い中立的（一般的）な２Ｄ地図のナビゲーション画面Ｇ１を生成して表示し、次のステップＳＰ３へ移る。
【００３７】
ステップＳＰ３においてポータブルＮＶ装置２の制御部２０は、ブルートゥースモジュールが搭載された携帯電話機５Ａ又は５Ｂを車内空間でサーチし、次のステップＳＰ４へ移る。
【００３８】
ステップＳＰ４においてポータブルＮＶ装置２の制御部２０は、車内空間でブルートゥースモジュールが搭載された携帯電話機５Ａ又は５Ｂを発見できたか否かを判定する。ここで否定結果が得られると、このことはポータブルＮＶ装置２の無線通信ユニット２８によって通信可能なブルートゥース機器が存在しなかったことを表しており、このときポータブルＮＶ装置２の制御部２０はステップＳＰ３へ戻って携帯電話機５Ａ又は５Ｂのサーチを継続する。
【００３９】
これに対してステップＳＰ４で肯定結果が得られると、このことはポータブルＮＶ装置２の無線通信ユニット２８によって携帯電話機５Ａ又は５Ｂと無線通信することができたことを表しており、このときポータブルＮＶ装置２の制御部２０は次のステップＳＰ５へ移る。
【００４０】
ステップＳＰ５においてポータブルＮＶ装置２の制御部２０は、ステップＳＰ４で発見した携帯電話機５Ａ又は５ＢのBluetoothアドレスを不揮発性メモリ２１に予め登録しておいたものと照合し、次のステップＳＰ６へ移る。
【００４１】
ステップＳＰ６においてポータブルＮＶ装置２の制御部２０は、ステップＳＰ４で発見した携帯電話機５Ａ又は５ＢのBluetoothアドレスが不揮発性メモリ２１に予め登録しておいたものと一致したか否かを判定し、否定結果が得られると、ステップＳＰ３へ戻って、携帯電話機５Ａ又は５Ｂのサーチを継続する。
【００４２】
これに対しステップＳＰ６で肯定結果が得られると、このことはステップＳＰ４で発見した携帯電話機５Ａ又は５ＢのBluetoothアドレスが不揮発性メモリ２１に予め登録しておいたものと一致したこと、すなわち認証が出来たことを表しており、このときポータブルＮＶ装置２の制御部２０は次のステップＳＰ７へ移る。
【００４３】
ステップＳＰ７においてポータブルＮＶ装置２の制御部２０は、その認証できたBluetoothアドレスと一緒に不揮発性メモリ２１に記憶されている設定条件に従い、中立的なナビゲーション画面Ｇ１からユーザＵ１又はＵ２個人に対して最適な個人対応ナビゲーション画面Ｇ２又はＧ３（図５及び図６）へ切り換えて表示し、次のステップＳＰ８へ移って処理を終了する。
【００４４】
（１−６）第１の実施の形態における動作及び効果
以上の構成において、ポータブルＮＶシステム１におけるポータブルＮＶ装置２の制御部２０は、車内空間に持ち込まれた状態で、例えば車両に乗り込んできたユーザＵ１が所持する携帯電話機５Ａを無線通信ユニット２８によって発見し、認証することができた場合、モニター４に表示中の中立的なナビゲーション画面Ｇ１からユーザＵ１個人に対して最適な個人対応ナビゲーション画面Ｇ２へ切り換えて表示することにより、ユーザＵ１に対して何ら煩雑な操作を一切行わせることなく、最も見易く操作し易い使用環境を提供することができる。
【００４５】
またポータブルＮＶ装置２の制御部２０は、電源が投入された直後から、携帯電話機５Ａ又は５Ｂを発見するまでの間については、誰に対しても片寄ることのない一般的な中立モードの２Ｄ地図でなるナビゲーション画面Ｇ１をモニター４に表示するようにしたことにより、ユーザＵ１又はＵ２に対してナビゲーション環境を提供し得ない待ち時間を無くし、電源投入直後から直ちにルート案内を実行することができる。
【００４６】
以上の構成によれば、ポータブルＮＶシステム１におけるポータブルＮＶ装置２では、ユーザＵ１が所持する携帯電話機５Ａ又はユーザＵ２が所持する携帯電話機５Ｂを発見した場合、予めユーザＵ１又はＵ２に対応させて登録しておいた設定条件に従って、当初モニター４に表示していた中立モードのナビゲーション画面Ｇ１から最適な個人対応ナビゲーション画面Ｇ２又はＧ３へ切り換えて表示することにより、ユーザＵ１、Ｕ２に対して何ら煩雑な操作を一切行わせることなく、最適な使用環境を提供することができる。
【００４７】
（２）第２の実施の形態
（２−１）第２の実施の形態におけるポータブルＮＶシステムの全体構成
図１との対応部分に同一符号を付した図８において、１００は全体として第２の実施の形態におけるポータブルＮＶシステムを示し、携帯型で持ち運び可能な主に車内で用いられるポータブルＮＶ装置２と、当該ポータブルＮＶ装置２と、車両に搭載され、ポータブルＮＶ装置２と無線通信可能なカーオーディオ装置１０１とによって構成されている。
【００４８】
ポータブルＮＶ装置２は、矩形状の本体部３における前面にモニター４が設けられており、本体部３に内蔵された不揮発性メモリやハードディスク等に格納されている地図データに応じた地図画面等をモニター４に対して表示し得るようになされている。
【００４９】
カーオーディオ装置１０１は、本体部１０２の正面にＬＣＤ１２４及びその他各種の操作ボタン等が設けられた構造でなり、ポータブルＮＶ装置２（図２）の不揮発性メモリ２１に格納された音楽データ等を当該ポータブルＮＶ装置２のBluetoothに対応した無線通信ユニット２８から受信し、その音楽データに応じた音声を当該カーオーディオ装置１０１に接続されているスピーカから出力し得るようになされている。
【００５０】
（２−２）ポータブルＮＶ装置の回路構成
このポータブルＮＶ装置２は、図２に示した回路構成と同じであるので省略するが、Bluetoothモジュールでなる無線通信ユニット２８を介して、当該ポータブルＮＶ装置２の周辺に存在するBluetooth機器（例えばBluetoothモジュールを搭載したカーオーディオ装置１０２）との間で無線通信を行い、当該カーオーディオ装置１０２と種々のデータ通信を実行し得るようになされている。
【００５１】
（２−３）カーオーディオ装置の回路構成
図９に示すように、カーオーディオ装置１０２は、ＣＰＵ構成でなる制御部１２０が全体を統括制御すると共に、ハードディスク１２１に格納された基本プログラムや各種アプリケーションプログラムを読み出してＲＡＭ１２２上で実行することにより、通常のカーオーディオとしての機能を実現するようになされている。
【００５２】
実際上、カーオーディオ装置１０２の制御部１２０は、本体部１０２の前面に設けられた操作ボタン等に対するユーザの操作を入力インタフェース１２６経由で受け付け、その受け付けた命令に応じて、ディスク再生部１２３によって再生した再生データや、チューナ１２５によって受信した受信データをアンプ１２７によって所定レベルに増幅した後、スピーカ１２９から再生音声又はラジオ音声として出力する。
【００５３】
このときカーオーディオ装置１０２の制御部１２０は、ディスク再生中のアーティスト名や楽曲タイトル、ラジオ放送局の周波数や、放送局名等に関する種々の情報をＬＣＤ１２４に表示し得るようになされている。
【００５４】
さらにカーオーディオ装置１０２の制御部１２０は、ブルートゥースモジュール１２８を介してポータブルＮＶ装置２の無線通信ユニット２８と相互にブルートゥース通信し得るようになされており、上述したようにポータブルＮＶ装置２からブルートゥースモジュール１２８を介して受信した音楽データをアンプ１２７経由でスピーカ１２９から出力することもできるようになされている。
【００５５】
なお、カーオーディオ装置１０２は、当該カーオーディオ装置１０２がブルートゥース機器であることを示すために割り当てられているBluetoothアドレスをハードディスク１２１に記憶しており、必要に応じてBluetoothアドレスをブルートゥースモジュール１２８を介して無線送信し得るようになされている。
【００５６】
（２−４）車種毎に最適な車種対応ナビゲーション画面への切換処理
図１０に示すように、最初に、車両ＣＡ１に備え付けられたカーオーディオ装置１０２ＡのBluetoothアドレス及び車両ＣＡ２に備え付けられたカーオーディオ装置１０２ＢのBluetoothアドレスを、ポータブルＮＶ装置２へそれぞれ無線送信し、当該ポータブルＮＶ装置２の不揮発性メモリ２１に記憶させることにより、ポータブルＮＶ装置２に対してカーオーディオ装置１０２ＡのBluetoothアドレス及びカーオーディオ装置１０２ＢのBluetoothアドレスを登録する。
【００５７】
このBluetoothアドレスについても、カーオーディオ装置１０２Ａ及び１０２Ｂに対してそれぞれ固有に割り当てられているものであって、カーオーディオ装置１０２Ａ及び１０２Ｂのハードディスク１２１にそれぞれ格納されているため、ポータブルＮＶシステム１００では、このカーオーディオ装置１０２ＡのBluetoothアドレスと、カーオーディオ装置１０２ＢのBluetoothアドレスとをポータブルＮＶ装置２に対して登録させておくことにより、ポータブルＮＶ装置２とカーオーディオ装置１０２Ａ又は１０２Ｂとが無線接続されたことを判別させ得るようになされている。
【００５８】
このときポータブルＮＶ装置２の制御部２０は、ユーザＵ１がモニター４の画面上で任意に設定した例えば２Ｄ地図及び３Ｄ地図を含む２画面表示からなる車種対応ナビゲーション画面を車両ＣＡ１の車種に対応した独自の最適な設定条件として、カーオーディオ装置１０２ＡのBluetoothアドレスと共に不揮発性メモリ２１に記憶しておくようになされている。
【００５９】
またポータブルＮＶ装置２の制御部２０は、ユーザＵ１がモニター４の画面上で任意に設定した例えば３Ｄ地図表示の車種対応ナビゲーション画面を車両ＣＡ２の車種に対応した独自の最適な設定条件として、カーオーディオ装置１０２ＢのBluetoothアドレスと共に不揮発性メモリ２１に記憶しておくようになされている。
【００６０】
その後、図１１に示すように、例えばカーオーディオ装置１０２Ａが備え付けられた車両ＣＡ１に対して、ユーザＵ１がポータブルＮＶ装置２を持ち込んだ場合、ポータブルＮＶ装置２の制御部２０は無線通信ユニット２８を介して通信可能なBluetooth機器を探索し、その結果、車両ＣＡ１に備え付けられたカーオーディオ装置１０２ＡをそのBluetoothアドレスに基づいて発見すると、電源投入された当初は誰でもが操作し易い一般的な中立モードのナビゲーション画面Ｇ１をモニター４に表示した状態から、ハードディスク１２１に記憶しておいた設定条件に従い、車両ＣＡ１の車種に対して最適な車種対応ナビゲーション画面Ｇ４（２Ｄ地図及び３Ｄ地図を含む２画面表示）へ切り換え得るようになされている。
【００６１】
因みに、このときポータブルＮＶ装置２の制御部２０は車両ＣＡ１の車種に対して最適な車種対応ナビゲーション画面Ｇ４へ切り換え得ると共に、各種設定全般についても切り換えるようになされているので、例えば車種設定が小型車から大型車へ切り換わった場合、大型車侵入禁止というような道路へのナビゲーションを行うことを防止し得るようになされている。
【００６２】
また、図１２に示すように、例えばカーオーディオ装置１０２Ｂが備え付けられた車両ＣＡ２に対して、ユーザＵ１がポータブルＮＶ装置２を持ち込んだ場合、ポータブルＮＶ装置２の制御部２０は無線通信ユニット２８を介して通信可能なBluetooth機器を探索し、その結果、車両ＣＡ２に備え付けられたカーオーディオ装置１０２ＢをそのBluetoothアドレスに基づいて発見すると、電源投入された当初は誰でもが操作し易い一般的な中立モードのナビゲーション画面Ｇ１をモニター４に表示した状態から、ハードディスク１２１に記憶しておいた設定条件に従い、車両ＣＡ２の車種に対して最適な車種対応ナビゲーション画面Ｇ５（３Ｄ地図表示）へ切り換え得るようになされている。
【００６３】
このようにポータブルＮＶシステム１００では、ポータブルＮＶ装置２がカーオーディオ装置１０２ＡのBluetoothアドレス又はカーオーディオ装置１０２ＢのBluetoothアドレスに基づいて車両ＣＡ１又は車両ＣＡ２を特定することができたとき、ポータブルＮＶ装置２の不揮発性メモリ２１に記憶しておいた設定条件に従い、車両ＣＡ１又はＣＡ２の車種に対して最適な車種対応ナビゲーション画面Ｇ４又はＧ５へ切り換えて表示し、車両ＣＡ１又はＣＡ２にとって最も適合した利用環境を提供し得るようになされている。この一連の処理の流れを、次の図１３におけるフローチャートを用いて具体的に説明する。
【００６４】
（２−５）第２の実施の形態におけるユーザ毎の画面切換処理手順
図１３に示すように、ポータブルＮＶシステム１００におけるポータブルＮＶ装置２の制御部２０は、ルーチンＲＴ２の開始ステップから入って次のステップＳＰ１１へ移り、図示しない電源ボタンに対するユーザの押下操作により電源が投入されたか否かを判定し、否定結果が得られると電源が投入されるまで待ち受けるのに対し、肯定結果が得られると次のステップＳＰ１２へ移る。
【００６５】
ステップＳＰ１２においてポータブルＮＶ装置２の制御部２０は、電源が投入されたことを認識した時点では、ユーザＵ１が車両ＣＡ１又はＣＡ２に持ち込んだポータブルＮＶ装置２が当該車両ＣＡ１又はＣＡ２に備え付けられているであろうカーオーディオ装置１０２Ａ又は１０２Ｂを発見できていない状態であり、それまでナビゲーション画面を一切モニター４に表示しないのでは不都合であることを考慮し、誰でもが操作し易い中立的（一般的）な２Ｄ地図のナビゲーション画面Ｇ１を生成して表示し、次のステップＳＰ１３へ移る。
【００６６】
ステップＳＰ１３においてポータブルＮＶ装置２の制御部２０は、ブルートゥースモジュールを搭載したカーオーディオ装置１０２Ａ又は１０２Ｂを車内空間でサーチし、次のステップＳＰ１４へ移る。
【００６７】
ステップＳＰ１４においてポータブルＮＶ装置２の制御部２０は、車内空間でブルートゥースモジュールを搭載したカーオーディオ装置１０２Ａ又は１０２Ｂを発見できたか否かを判定する。ここで否定結果が得られると、このことはポータブルＮＶ装置２の無線通信ユニット２８によって通信可能なブルートゥース機器が車内空間には存在しなかったことを表しており、このときポータブルＮＶ装置２の制御部２０はステップＳＰ１３へ戻ってカーオーディオ装置１０２Ａ又は１０２Ｂのサーチを継続する。
【００６８】
これに対してステップＳＰ１４で肯定結果が得られると、このことはポータブルＮＶ装置２の無線通信ユニット２８によって車内空間に存在しているカーオーディオ装置１０２Ａ又は１０２Ｂと無線通信することができたことを表しており、このときポータブルＮＶ装置２の制御部２０は次のステップＳＰ１５へ移る。
【００６９】
ステップＳＰ１５においてポータブルＮＶ装置２の制御部２０は、ステップＳＰ１４で発見したカーオーディオ装置１０２Ａ又は１０２ＢのBluetoothアドレスをハードディスク１２１に予め登録しておいたものと照合し、次のステップＳＰ１６へ移る。
【００７０】
ステップＳＰ１６においてポータブルＮＶ装置２の制御部２０は、ステップＳＰ１４で発見したカーオーディオ装置１０２Ａ又は１０２ＢのBluetoothアドレスがハードディスク１２１に予め登録しておいたものと一致したか否かを判定し、否定結果が得られると、ステップＳＰ１３へ戻って、カーオーディオ装置１０２Ａ又は１０２Ｂのサーチを継続する。
【００７１】
これに対しステップＳＰ１６で肯定結果が得られると、このことはステップＳＰ１４で発見したカーオーディオ装置１０２Ａ又は１０２ＢのBluetoothアドレスがハードディスク１２１に予め登録しておいたものと一致したこと、すなわち認証が出来たことを表しており、このときポータブルＮＶ装置２の制御部２０は次のステップＳＰ１７へ移る。
【００７２】
ステップＳＰ１７においてポータブルＮＶ装置２の制御部２０は、その認証できたBluetoothアドレスと一緒に不揮発性メモリ２１に記憶されている設定条件に従い、中立的なナビゲーション画面Ｇ１から車両ＣＡ１又は車両ＣＡ２に対して最適な車両対応ナビゲーション画面Ｇ４（図１１）又は車両対応ナビゲーション画面Ｇ５（図１２）へ切り換えて表示し、次のステップＳＰ１８へ移って処理を終了する。
【００７３】
（２−６）第２の実施の形態における動作及び効果
以上の構成において、ポータブルＮＶシステム１００におけるポータブルＮＶ装置２の制御部２０は、車両ＣＡ１にカーオーディオ装置１０２Ａが備え付けられ、車両ＣＡ２にカーオーディオ装置１０２Ｂが備え付けられた状態で、何れかの車両ＣＡ１又はＣＡ２に乗り込んできたユーザＵ１が所持するポータブルＮＶ装置２が、その無線通信ユニット２８によってカーオーディオ装置１０２Ａ又は１０２Ｂを発見し、認証することができた場合、モニター４に表示中の中立モードのナビゲーション画面Ｇ１から車両ＣＡ１又はＣＡ２に対して最適な車両対応ナビゲーション画面Ｇ４又はＧ５へ切り換えて表示することにより、車両ＣＡ１又はＣＡ２の持ち主であるユーザＵ１に対して何ら煩雑な操作を一切行わせることなく、その車種に適した最も見易く操作し易い使用環境を提供することができる。
【００７４】
またポータブルＮＶ装置２の制御部２０は、電源が投入された直後から、カーオーディオ装置１０２Ａ又は１０２Ｂを発見するまでの間については、車種に拘わらず一般的な中立モードの２Ｄ地図でなるナビゲーション画面Ｇ１をモニター４に表示するようにしたことにより、ユーザＵ１に対してナビゲーション環境を提供し得ない待ち時間を無くし、電源投入直後から車種に関係なく直ちにルート案内を実行することができる。
【００７５】
以上の構成によれば、ポータブルＮＶシステム１００におけるポータブルＮＶ装置２では、車両ＣＡ１に備え付けられたカーオーディオ装置１０２Ａ又は車両ＣＡ２に備え付けられたカーオーディオ装置１０２Ｂを発見した場合、予め車両ＣＡ１又はＣＡ２の車種に対応させて登録しておいた設定条件に従って、当初モニター４に表示していた中立モードのナビゲーション画面Ｇ１から、その車種に適した車種対応ナビゲーション画面Ｇ４又はＧ５へ切り換えて表示することにより、ユーザＵ１に対して何ら煩雑な操作を一切行わせることなく、車両ＣＡ１又はＣＡ２に合わせた最適な使用環境を提供することができる。
【００７６】
（３）他の実施の形態
なお上述の第１の実施の形態においては、ユーザＵ１の所持する携帯電話機５Ａ、又はユーザＵ２が所持する携帯電話機５Ｂの何れかを認証し、その認証結果に合わせて中立モードのナビゲーション画面Ｇ１から個人対応ナビゲーション画面Ｇ２又はＧ３へ切り換えるようにした場合について述べたが、本発明はこれに限らず、ユーザＵ１の所持する携帯電話機５Ａ及びユーザＵ２が所持する携帯電話機５Ｂの双方共に認証した場合や、３人以上のユーザが所持する携帯電話機を全て認証した場合、ユーザ毎に優先度を設け、その優先度が最も高いBluetoothアドレスの携帯電話機を所持するユーザの設定条件に従って生成した個人対応ナビゲーション画面へ切り換えるようにしても良い。
【００７７】
また上述の第２の実施の形態においては、ポータブルＮＶ装置２を所有するユーザＵ１が車両ＣＡ１又はＣＡ２に乗り込み、当該車両ＣＡ１又はＣＡ２に備え付けられているカーオーディオ装置１０２Ａ又は１０２ＢをそのBluetoothアドレスに基づいてポータブルＮＶ装置２が発見したとき、中立モードのナビゲーション画面Ｇ１から、その車両ＣＡ１又はＣＡ２の車種に適した車種対応ナビゲーション画面Ｇ４又はＧ５へ切り換えて表示するようにした場合について述べたが、本発明はこれに限らず、ポータブルＮＶ装置２の制御部２０は、車両ＣＡ１又はＣＡ２に当該ポータブルＮＶ装置２を所持するユーザＵ１が近付いたときに、無線通信ユニット２８によって受信するカーオーディオ装置１０２Ａ又は１０２Ｂからの電波の受信電界強度が最も大きいものを特定し、その特定したカーオーディオ装置１０２Ａ又は１０２Ｂが備え付けられている車両ＣＡ１又はＣＡ２の車種に対応付けられた独自の最適な設定条件に応じた車種対応ナビゲーション画面へ切り換えて表示するようにしても良い。
【００７８】
この場合、ポータブルＮＶ装置２の制御部２０は、ユーザＵ１が車両ＣＡ１又はＣＡ２に近付いた時点で、ユーザＵ１が乗り込むであろう車両ＣＡ１又はＣＡ２を推測し、その車両ＣＡ１又はＣＡ２の車種に適した車種対応ナビゲーション画面Ｇ４又はＧ５へ切り換えることができるので、中立モードのナビゲーション画面Ｇ１を表示している時間を短縮し、ユーザＵ１に対して車種対応ナビゲーション画面Ｇ４又はＧ４へ切り換わるまでの待ち時間を一段と少なくすることができる。
【００７９】
さらに上述の第１及び第２の実施の形態においては、中立モードのナビゲーション画面Ｇ１から、２Ｄ地図及び３Ｄ地図を含む２画面表示からなる個人対応ナビゲーション画面Ｇ２や車種対応ナビゲーション画面Ｇ３、２Ｄ地図表示からなる個人対応ナビゲーション画面Ｇ４や車種対応ナビゲーション画面Ｇ５へ切り換えるようにした場合について述べたが、本発明はこれに限らず、音楽コンテンツの選択画面やインターネット接続画面等を個人や車種にそれぞれ対応させた個人処理結果画面や車種対応処理結果画面へ切り換えるようにしても良い。
【００８０】
さらに上述の第１及び第２の実施の形態においては、中立モードのナビゲーション画面Ｇ１から２Ｄ地図及び３Ｄ地図を含む２画面表示からなる個人対応ナビゲーション画面Ｇ２や車種対応ナビゲーション画面Ｇ４、２Ｄ地図表示からなる個人対応ナビゲーション画面Ｇ３や車種対応ナビゲーション画面Ｇ５へ切り換えるようにした場合について述べたが、本発明はこれに限らず、個人対応ナビゲーション画面Ｇ２、Ｇ３や車種対応ナビゲーション画面Ｇ４、Ｇ５へ切り換わったことを示すテキスト文を重ねて表示するようにしても良い。この場合、そのユーザに対して操作し易い環境に切り換わっていることを容易に認識させることができる。
【００８１】
さらに上述の第１及び第２の実施の形態においては、ポータブルＮＶ装置２の制御部２０が不揮発性メモリ２１に格納されているアプリケーションプログラムに従い、上述したルーチンＲＴ１及びルーチンＲＴ２の画面切換処理手順を実行するようにした場合について述べたが、本発明はこれに限らず、記録媒体からインストールしたアプリケーションプログラムや、インターネットからダウンロードしたアプリケーションプログラム、その他種々のルートによってインストールしたアプリケーションプログラムに従って上述した画面切換処理手順を実行するようにしても良い。
【００８２】
さらに上述の第１及び第２の実施の形態においては、ポータブルＮＶ装置２と、携帯電話機５、カーオーディオ装置１０２との間をBluetoothによって無線接続するようにした場合について述べたが、本発明はこれに限らず、IEEE(Institute of Electrical and Electronics Engineers)802.11系の無線ＬＡＮ(Local Area Network)や、ＣＡＮ(Controller Area Network)、Ｆｅｌｉｃａ（ソニー株式会社商標）等のその他種々の無線通信方法によってポータブルＮＶ装置２と、携帯電話機５、カーオーディオ装置１０２との間を無線接続するようにしても良い。
【００８３】
さらに上述の実施の形態においては、表示制御手段としての制御部２０、無線通信手段としての無線通信ユニット２８、認証手段としての制御部２０、画面切換手段としての制御部２０によって本発明の電子機器としてのポータブルＮＶ装置２を構成するようにした場合について述べたが、本発明はこれに限らず、その他種々の回路構成でなる表示制御手段、無線通信手段、認証手段及び画面切換手段によって本発明の電子機器を構成するようにしても良い。
【産業上の利用可能性】
【００８４】
本発明の電子機器及び画面切換制御方法は、例えばポータブルＮＶ装置以外にも、ナビゲーション機能を搭載したノートブック型パーソナルコンピュータ、ナビゲーション機能を搭載したゲーム機、ナビゲーション機能を搭載した携帯電話機等のその他種々のモバイル機器に適用することができる。
【図面の簡単な説明】
【００８５】
【図１】第１の実施の形態におけるポータブルＮＶシステムの全体構成を示す略線的斜視図である。
【図２】第１の実施の形態におけるポータブルＮＶ装置の回路構成を示す略線的ブロック図である。
【図３】第１の実施の形態における携帯電話機の回路構成を示す略線的ブロック図である。
【図４】第１の実施の形態における登録の説明に供する略線図である。
【図５】第１の実施の形態において認証結果に応じて中立モードのナビゲーション画面から個人モード対応ナビゲーション画面へ切り換える流れ（１）の説明に供する略線図である。
【図６】第１の実施の形態において認証結果に応じて中立モードのナビゲーション画面から個人モード対応ナビゲーション画面へ切り換える流れ（２）の説明に供する略線図である。
【図７】第１の実施の形態におけるユーザ毎の画面切換処理手順を示すフローチャートである。
【図８】第２の実施の形態におけるポータブルＮＶシステムの全体構成を示す略線的斜視図である。
【図９】第２の実施の形態におけるカーオーディオ装置の回路構成を示す略線的ブロック図である。
【図１０】第２の実施の形態における登録の説明に供する略線図である。
【図１１】第２の実施の形態において認証結果に応じて中立モードのナビゲーション画面から車種対応ナビゲーション画面へ切り換える流れ（１）の説明に供する略線図である。
【図１２】第２の実施の形態において認証結果に応じて中立モードのナビゲーション画面から車種対応ナビゲーション画面へ切り換える流れ（２）の説明に供する略線図である。
【図１３】第２の実施の形態における車種毎の画面切換処理手順を示すフローチャートである。
【符号の説明】
【００８６】
１、１００……ポータブルＮＶシステム、２……ポータブルＮＶ装置、３……本体部、４……モニター、５……携帯電話機、２０、３０……制御部、２１、３１……不揮発性メモリ、２２、３２、１２２……ＲＡＭ、２３……ＧＰＳユニット、２４、３４、１２４……ＬＣＤ、２５……タッチパネル、２６……音声処理部、２７、３７、１２９……スピーカ、２８……無線通信ユニット、２９、３９……バッテリ、３３……送受信部、３５……マイクロフォン、３６……音声コーデック、１０１……カーオーディオ装置、１０２……本体部、１２１……ハードディスク、１２３……ディスク再生部、１２５……チューナ、１２６……入力インタフェース、１２７……アンプ、１２８……ブルートゥースモジュール。
【図１】
2008281361.tif 000003
【図２】
2008281361.tif 000004
【図３】
2008281361.tif 000005
【図４】
2008281361.tif 000006
【図５】
2008281361.tif 000007
【図６】
2008281361.tif 000008
【図７】
2008281361.tif 000009
【図８】
2008281361.tif 000010
【図９】
2008281361.tif 000011
【図１０】
2008281361.tif 000012
【図１１】
2008281361.tif 000013
【図１２】
2008281361.tif 000014
【図１３】
2008281361.tif 000015